(57)【要約】【課題】洋服などの色を選択する際、イメージに合う配色が簡単に選択できるようにする事である。【手段】配色色相比較ボードは、赤、黄、緑、青などの有彩色群を周方向に順次配設すると共に、各色群を内周より外周に向けて、明度も彩度も低い色群、明度も彩度も高い色群、明度が低く彩度が高い色群、明度が高く彩度が低い色群として順に設け、外周の明度が高く彩度が低い色群をサマー、次の周の明度が高く彩度が低い色群をウィンター、次の周の明度も彩度も高い色群をスプリング、内周の明度も彩度も低い色群をオータムとし、前記赤色群に対して180度位相を異にする色群を青緑色群としてなる円盤状の色相プレート１と、該色相プレートに重ね、前記色群の一色又は近似する複数の色群及び180度位相を異にする色群を透視する透視窓２１・・２５を有し、前記色相プレート１の中心に枢着した回転プレート２とを有する構成である。【選択図】図1
2006317475.tif 000002
【特許請求の範囲】
【請求項１】
赤、黄、緑、青などの有彩色群を周方向に順次配設すると共に、各色群を内周より外周に向けて、明度も彩度も低い色群、明度も彩度も高い色群、明度が低く彩度が高い色群、明度が高く彩度が低い色群として順に設け、外周の明度が高く彩度が低い色群をサマー、次の周の明度が高く彩度が低い色群をウィンター、次の周の明度も彩度も高い色群をスプリング、内周の明度も彩度も低い色群をオータムとし、前記赤色群に対して180度位相を異にする色群を青緑色群としてなる円盤状の色相プレートと、
該色相プレートに重ね、前記色群の一色又は近似する複数の色群及び180度位相を異にする色群を透視する透視窓を有し、前記色相プレートの中心に枢着した回転プレートとを有する配色色相比較ボード。
【請求項２】
前記色相プレートの外側又は回転プレートの中心部に、複数の黒色群及び白色群を周方向に表示した無彩色プレートを回転自在に枢着してなる請求項1記載の配色色相比較ボード。
【発明の詳細な説明】
【技術分野】
【０００１】
本発明は、背景色などを引き立たせる色を容易に選択できる配色色相比較ボード、詳しくは洋服、室内等のトータルコーディネートが容易に選択できる配色色相比較ボードに関する。
【背景技術】
【０００２】
今日、あらゆる色が氾濫しており、配色についての関心が高く、どの背景の背景色には、どのような色の組合わせが最適であるか興味を持っている。
背景色が人の肌色の場合、どの色の家具、カーテンが組合わせとして最適であるか、その判断は難しかった。
【０００３】
例えば、その人を引き立たせる色はその人の肌色でにより決まり、その際、その人の肌色を説明するには、肌色ごとにその肌色を引き立たせる色をグループ化し、その色を環状に並べて説明していた。
【０００４】
このような説明では、グループ化した色が環状に並べてあるだけなので、肌色ごとの比較が解りずらい。
例えば、黄色系でも、薄い黄色、明るい黄色、濃い黄色等があり、肌色によっては、その人を引き立たせる黄色系の色が異なる。
そのような場合に、グループ化した色が環状に並べてあるだけでは、肌色ごとの黄色系の区分がわかりずらく見ずらい。
【０００５】
更に、具体的には、着色した髪の毛、布地、宝石等は、どの色がもっとも自分を引き立たせるか比較する際、その都度、着色した髪の毛、布地、宝石等のカラー見本を作成するには面倒で、コストもかかる。
【０００６】
また、各分野での流行色は季節ごとに変わり、その都度、色相比較ボードを作成することも面倒である。
このように、人の肌色を引き立たせる色を説明する場合であっても、その説明が難しく、どの背景色にはどの色が最適かの判断は容易ではなかった。
【０００７】
かかる不具合を解消すべく、本出願人は特開２００３−５８０６３号（特許文献１）において斬新な提案をした。
【０００８】
【特許文献１】特開２００３−５８０６３号公報
【発明の開示】
【発明が解決しようとする課題】
【０００９】
以上の提案品によれば、どの背景色ではどの色系のどの色が良いかが解るので、見やすく解り易く、色相カラーと比較可能なカラー見本を取り外し可能に取りつけているので、各分野での流行色が実物を介して容易に認識できる。
【００１０】
しかし、この提案品に依れば、左右、上下を見るため、最も似合う配色、例えば、３色から５色を同時に簡単に見つける事ができない。
【００１１】
そこで、本発明は斬新な本出願人の提案品の不具合を除去する事を目的としている。
【課題を解決するための手段】
【００１２】
以上の目的を達成するための本発明にかかる配色色相比較ボードは、赤、黄、緑、青などの有彩色群を周方向に順次配設すると共に、各色群を内周より外周に向けて、明度も彩度も低い色群、明度も彩度も高い色群、明度が低く彩度が高い色群、明度が高く彩度が低い色群として順に設け、外周の明度が高く彩度が低い色群をサマー、次の周の明度が高く彩度が低い色群をウィンター、次の周の明度も彩度も高い色群をスプリング、内周の明度も彩度も低い色群をオータムとし、前記赤色群に対して180度位相を異にする色群を青緑色群としてなる円盤状の色相プレートと、該色相プレートに重ね、前記色群の一色又は近似する複数の色群及び180度位相を異にする色群を透視する透視窓を有し、前記色相プレートの中心に枢着した回転プレートとを有する構成である。
【００１３】
そして、前記色相プレートの外側又は回転プレートの中心部に、複数の黒色群及び白色群を周方向に表示した無彩色プレートを回転自在に枢着してなることが好ましい。
【発明の効果】
【００１４】
本発明によれば、例えば、洋服を組み合わせる際、ソフト、エレガント、上品なイメージを有する色であるダークブラウンを色相プレートから選択する。
そして、回転プレートの透視窓を色相プレートのダークブラウンに透視できるように回転させると、色相プレートのダークブラウンが回転プレートの透視窓に現われる。
回転プレートの透視窓に現われダークブラウンに合う色が、回転プレートの左右又は180度位相を異にする透視窓から視覚されるので、洋服を組み合わせる際に、最も合う３色乃至５色の配色から簡単に見つけることが可能となる。
【発明を実施するための最良の形態】
【００１５】
以下、本発明の一実施例を図面に基づいて説明する。
図１は本発明にかかる配色色相比較ボードを示し、図中、１は円盤状の色相プレート、２はこの色相プレート１に重ね回転自在に中心を枢着した回転プレート、３は回転プレート２の中心部に回転自在に枢着した無彩色プレートを夫々示している。
【００１６】
前記色相プレート１は、図2に示す様に、中心より外周縁方向に放射状に複数の赤色群、黄色群、緑群、青色群などの有彩色群が表示してある。
この有彩色群は、内周より外周方向に、周方向に沿って、明度も彩度も低い色群、明度も彩度も高い色群、明度が低く彩度が高い色群、明度が高く彩度が低い色群として順に配色されている。
【００１７】
例えば、赤色群の180度位相を異にする位置には青緑群が位置する様に対照配色されている。
【００１８】
そして、外周の明度が高く彩度が低い色群をサマーＳとする。このサマーＳはソフト、エレガント、上品なイメージを有し、例えば、人体では、目がダークブラウン、肌がピンクベージュ、髪がダークブラウンが経験観察すれば似合う色相である。
【００１９】
次の周の明度が高く彩度が低い色群をウィンターＷとする。このウィンターＷはシャープでモダン、個性的なイメージを有し、人の場合には、目がブラック、肌がローズピンク、髪がブラックが経験観察すれば似合う色相である。
【００２０】
次の周の明度も彩度も高い色群をスプリングＳＰとする。このスプリングＳＰはロマンチック、チャーミングなイメージを有し、目がライトブラウン、肌がピーチベージュ、髪がミディアムブラウンが経験観察すれば似合う色相である。
【００２１】
そして、内周の明度も彩度も低い色群をオータムＡとする。このオータムＡは、シック、ナチュラルなイメージを有し、目がチェスナットブラウン、肌がダークブラウン、髪がチェスナットブラウンが経験観察すれば似合う色相である。
【００２２】
上記では、外周の明度が高く彩度が低い色群をサマーＳ、次の周の明度が高く彩度が低い色群をウィンターＷ、次の周の明度も彩度も高い色群をスプリングＳＰ、内周の明度も彩度も低い色群をオータムＡとして春夏秋冬で区分しているが、その名前はこれに限られず、変える事ができる。
【００２３】
一方、回転プレート２は、図3に示す様に、前記色彩群のうちの１色彩、例えば、赤色群のみ、又は近似する色彩群、例えば、赤色群とそれに隣接する赤紫色群、赤みの橙色群、及びその反対側である180度位相を異にする色彩群、例えば、赤色群の場合には青緑色群、青赤紫色群に対して緑色群、赤みの橙色群に対して緑みの青色群がそれぞれ外部に露出するように、６本の放射状の透視窓２０、２１、２２、２３、２４、２５が開孔されている不透明プレートである。
【００２４】
また、図示する無彩色プレート４は、回転プレート２の中央部に回転自在に枢着され、サマーＳ、ウィンターＷ、スプリングＳＰ、オータムＡに対応する4種類の黒色、白色を周方向に表示してある。
白色としては、例えば、アイボリーホワイト、オフホワイト、スノーホワイト、オイスターホワイトで、黒色としては、例えば、墨黒、濃い黒、ダーク黒、ソフト黒である。
即ち、白色、黒色であっても、同じ色彩ではない黒白があるので、それが表示してある。
なお、０は回転中心を示す。
【００２５】
次に、本発明に係る配色色相比較ボードの使用方法につき説明する。
【００２６】
例えば洋服の配色をする場合、ソフト、エレガント、上品なイメージを有するサマーＳを所望し、ある色として手持ちの上着を選択する。
その上着の色がピンクベージュの場合には、回転プレート２の中央部の透視窓２０が色相プレート１の外周に位置するサマーＳであるピンクベージュに位置すべく回転させると、ピンクベージュが透視窓20から視覚できる。
【００２７】
次に、図5に示す様に、ピンクベージュが視覚される透視窓20に隣接する透視窓２１，２２には、ピンクベージュと類似した色相が視覚されるため、この類似する色相を選択することにより、他の例えば、パンツ、ワイシャツ、ネクタイの色を決めると、親しみのある豊かな調和感が得られ、ビジネス、フォーマル用の洋服として最適な色相が容易に選択できる。
【００２８】
また、図6に示す様に、回転プレート２の透視窓２０に対して反対方向の透視窓２４，２５より視覚される色相は、アピール，カジュアルは配色となる。
従って、この対照配色を選択すると、派手な、活発な、変化に富んだ配色感が得られるため、カジュアルな洋服、スポーツウエアとして最適な配色となる。
このようにして、洋服のコーディネートを行なう。
【００２９】
無彩色プレート４は、前記の場合には、回転プレート２の透視窓２０に合わせるべく回転させ、サマーＳの黒色Ｓ´１、白色Ｓ１を透視窓２０の位置に回転させると、ソフト、エレガント、上品なイメージを有するサマーＳの黒色、白色が容易にわかる。
【００３０】
前記では、回転プレート２の透視窓２０として開孔としているが、この透視窓２０を開閉可能とする事もできる。
また、色相プレート１はサマーＳ、ウィンターＷ、スプリングＳＰ、オータムＡの4区分としているが、明度、彩度を細かく分けて5区分、6区分にする事もできる。
【００３１】
上記では洋服のコーディネートの場合で説明したが、室内のインテリアのコーディネートも同様な方法で、カーテン，家具，カーペットなどのコーディネートも行なう事ができる。
【００３２】
又、回転プレート２の透視窓２０は、サマーＳの色群が視覚できるように、サマーＳの周方向に開孔しても良く、かかる場合には、サマーＳの選択した色に対して、自然な変化を求めたい場合には、その選択した色以外を選択すれば、自然な変化の色彩となる。
【産業上の利用可能性】
【００３３】
本発明は洋服、インテリアの他に、自動車の内装、外装、化粧品、ヘアカラー、ネイル、ディスプレー、パッケージ、街並みの配色、コーポレートカラーなどの配色にも利用する事ができる。
【図面の簡単な説明】
【００３４】
【図１】本発明品の部分切欠図である。
【図２】本発明品を構成する色相プレートの平面図である。
【図３】本発明品を構成する回転プレートの平面図である。
【図４】本発明品を構成する無彩色プレートの平面図である。
【図５】本発明品の使用方法を説明する説明図である。
【図６】本発明品の別の使用方法を説明する説明図である。
【符号の説明】
【００３５】
１    色相プレート
２    回転プレート
３    無彩色プレート
２０，２１，２２，２３，２４，２５    回転プレートの透視窓
【図１】
2006317475.tif 000003
【図２】
2006317475.tif 000004
【図３】
2006317475.tif 000005
【図４】
2006317475.tif 000006
【図５】
2006317475.tif 000007
【図６】
2006317475.tif 000008